(57)【要約】【課題】測定対象に対応する測定条件データを確実かつ容易に取得して所望の測定条件に従って測定処理を実行し、測定対象に対応する測定結果条件データを確実かつ容易に取得して所望の測定結果を表示する。【解決手段】測定条件データＤ０を取得してその測定条件に従って測定対象の物理量を測定する測定処理と、測定結果データＤ１ａ，Ｄ１ｂを取得して測定結果を表示させる測定結果表示処理とを実行する処理部１８を備え、処理部１８は、測定処理に先立ち、「測定対象特定データ（測位データＤ２、識別符号データＤ３および撮像データＤ４等）」を取得して測定対象を特定する測定対象特定処理を実行し、かつ測定処理において特定した測定対象の測定条件データＤ０を取得すると共に、測定結果表示処理に先立ち、測定対象特定処理を実行して測定対象を特定し、かつ測定結果表示処理において特定した測定対象の測定結果データＤ１ａ，Ｄ１ｂを取得する。【選択図】図１
2014219744.tif 000002
【特許請求の範囲】
【請求項１】
測定対象の測定条件が記録された測定条件データを取得して当該測定条件データの当該測定条件に従って前記測定対象の物理量を測定する測定処理と、前記測定対象の物理量を測定した測定結果が記録された測定結果データを取得して当該測定結果データに基づく当該測定結果を表示させる測定結果表示処理とを実行する処理部を備えた測定装置であって、
前記処理部は、前記測定処理に先立ち、前記測定対象を特定可能な測定対象特定データを取得して当該測定対象特定データに基づいて前記測定対象を特定する測定対象特定処理を実行し、かつ前記測定処理において、前記測定対象特定処理によって特定した前記測定対象の前記測定条件が記録された前記測定条件データを取得すると共に、前記測定結果表示処理に先立ち、前記測定対象特定処理を実行して前記測定対象を特定し、かつ前記測定結果表示処理において、前記測定対象特定処理によって特定した前記測定対象の前記測定結果が記録された前記測定結果データを取得する測定装置。
【請求項２】
測定対象の測定条件が記録された測定条件データを取得して当該測定条件データの当該測定条件に従って前記測定対象の物理量を測定する測定処理を実行する処理部を備えた測定装置であって、
前記処理部は、前記測定処理に先立ち、前記測定対象を特定可能な測定対象特定データを取得して当該測定対象特定データに基づいて前記測定対象を特定する測定対象特定処理を実行し、かつ前記測定処理において、前記測定対象特定処理によって特定した前記測定対象の前記測定条件が記録された前記測定条件データを取得する測定装置。
【請求項３】
測定対象の物理量を測定した測定結果が記録された測定結果データを取得して当該測定結果データに基づく当該測定結果を表示させる測定結果表示処理を実行する処理部を備えた測定装置であって、
前記処理部は、前記測定結果表示処理に先立ち、前記測定対象を特定可能な測定対象特定データを取得して当該測定対象特定データに基づいて前記測定対象を特定する測定対象特定処理を実行し、かつ前記測定結果表示処理において、前記測定対象特定処理によって特定した前記測定対象の前記測定結果が記録された前記測定結果データを取得する測定装置。
【請求項４】
前記測定条件データを記憶する外部装置と通信可能な通信部を備え、
前記処理部は、前記測定処理において、前記通信部を制御して前記測定条件データを前記外部装置から送信させて取得する測定条件データ取得処理を実行する請求項１または２記載の測定装置。
【請求項５】
前記測定結果データを記憶する外部装置と通信可能な通信部を備え、
前記処理部は、前記測定結果表示処理において、前記通信部を制御して前記測定結果データを前記外部装置から送信させて取得する測定結果データ取得処理を実行可能に構成されている請求項１または３記載の測定装置。
【請求項６】
前記処理部は、前記測定処理において、前記測定対象特定処理によって特定した前記測定対象の前記測定条件が記録された前記測定条件データが複数存在するときに、当該各測定条件データをリスト表示させると共に、リスト表示させた当該各測定条件データのうちから選択された当該測定条件データを取得する請求項１，２，４のいずれかに記載の測定装置。
【請求項７】
前記処理部は、前記測定結果表示処理において、前記測定対象特定処理によって特定した前記測定対象の前記測定結果が記録された前記測定結果データが複数存在するときに、当該各測定結果データをリスト表示させると共に、リスト表示させた当該各測定結果データのうちから選択された当該測定結果データを取得する請求項１，３，５のいずれかに記載の測定装置。
【請求項８】
現在位置を測位して測位データを出力可能な測位部を備え、
前記処理部は、前記測定対象特定処理において、前記測位部を制御して現在位置を測位させ、かつ当該測位部から出力された前記測位データと、前記測定対象の位置が当該測定対象に関連付けて記録された第１の関連付けデータとを前記測定対象特定データとして取得すると共に、当該測位データおよび当該第１の関連付けデータに基づき、現在位置に位置している前記測定対象を特定する請求項１から７のいずれかに記載の測定装置。
【請求項９】
前記測定対象に配設されたＩＣタグから当該測定対象毎に付与された識別符号の識別符号データを読み取り可能なタグリーダーを備え、
前記処理部は、前記測定対象特定処理において、前記タグリーダーを制御して前記ＩＣタグから前記識別符号データを読み取らせ、かつ当該タグリーダーによって読み取られた前記識別符号データと、前記測定対象に付与された前記識別符号が当該測定対象に関連付けて記録された第２の関連付けデータとを前記測定対象特定データとして取得すると共に、当該識別符号データおよび当該第２の関連付けデータに基づき、当該識別符号データの前記識別符号が付与されている前記測定対象を特定する請求項１から８のいずれかに記載の測定装置。
【請求項１０】
前記測定対象に配設された識別符号表示を撮像して撮像データを出力可能な撮像部を備え、
前記処理部は、前記測定対象特定処理において、前記撮像部から出力される前記撮像データと、前記測定対象に付与された識別符号が当該測定対象に関連付けて記録された第３の関連付けデータとを前記測定対象特定データとして取得すると共に、当該撮像データを画像解析処理して前記識別符号表示によって示されている識別符号を特定し、かつ、特定した当該識別符号および当該第３の関連付けデータに基づき、当該特定した識別符号が付与されている前記測定対象を特定する請求項１から９のいずれかに記載の測定装置。
【請求項１１】
前記測定対象を撮像して撮像データを出力可能な撮像部を備え、
前記処理部は、前記測定対象特定処理において、前記撮像部から出力される前記撮像データと、前記測定対象の画像が当該測定対象に関連付けて記録された第４の関連付けデータとを前記測定対象特定データとして取得すると共に、当該撮像データおよび当該第４の関連付けデータを対象とする画像マッチング処理を実行し、前記撮像部によって撮像された前記測定対象を特定する請求項１から１０のいずれかに記載の測定装置。
【請求項１２】
前記測定対象の現在位置の風景を撮像して撮像データを出力可能な撮像部を備え、
前記処理部は、前記測定対象特定処理において、前記撮像部から出力される前記撮像データと、前記測定対象の周囲の風景の画像が当該測定対象に関連付けて記録された第５の関連付けデータとを前記測定対象特定データとして取得すると共に、当該撮像データおよび当該第５の関連付けデータを対象とする画像マッチング処理を実行し、前記撮像部による撮像処理位置に位置している前記測定対象を特定する請求項１から１１のいずれかに記載の測定装置。
【発明の詳細な説明】
【技術分野】
【０００１】
本発明は、測定条件データに記録された測定条件に従って測定対象の物理量を測定する測定処理と、測定結果データに基づく測定結果を表示させる測定結果表示処理とを実行可能に構成された測定装置に関するものである。
【背景技術】
【０００２】
この種の測定装置として、店舗内各所の温度の測定および保存や、異常温度の検出（報知）を実行可能に構成された温度管理装置が特開平８−３５７１８号公報に開示されている。この温度管理装置は、温度センサが接続された測定温度入力部、測定条件を記憶する設定記憶部、測定された温度データを保存するデータ保存部、温度データに基づく測定結果を表示可能な表示部（液晶表示器）、外部装置（上位コンピュータ機能）との間で温度データを送受信可能な通信部、およびこれらの動作を制御する制御部等を備えて構成されている。
【０００３】
この温度管理装置の使用に際しては、まず、測定対象（温度を測定すべき位置や、温度を測定する機器）に応じて測定条件を設定し、設定した測定条件を設定記憶部に記憶させる。次いで、測定処理を開始させると、測定温度入力部が、温度センサからのセンサ信号に基づき、設定された測定条件に従って測定対象の温度を測定して温度データを出力する。また、制御部は、出力された温度データをデータ保存部に保存させると共に、温度データに基づく測定結果（測定対象の温度）を表示部に表示させる。この際に、測定された温度が設定異常温度以上のときには、制御部が、警報発生部を制御してブザー音などの警報を出力させると共に、警報メッセージを表示部に表示させる。これにより、測定対象に異常が生じていることが利用者によって認識される。
【０００４】
一方、この温度管理装置では、測定温度入力部から出力される温度データ、またはデータ保存部に保存した温度データを、通信部を介して外部装置に送信して記憶させておくことにより、後に、その温度データ（過去の温度データ）を外部装置から取得して、過去の温度データに基づく過去の測定温度と現在の測定温度とを比較することが可能となっている。これにより、この温度管理装置によれば、異常温度が検出された原因の特定や、測定対象の状態（温度変化の推移）の把握が可能となり、最適な接客環境の維持や店舗内商品の品質確保を実現することが可能となっている。
【先行技術文献】
【特許文献】
【０００５】
【特許文献１】特開平８−３５７１８号公報（第３−５頁、第１−４図）
【発明の概要】
【発明が解決しようとする課題】
【０００６】
ところが、従来の温度管理装置には、以下の解決すべき課題が存在する。すなわち、従来の温度管理装置では、予め設定した測定条件を設定記憶部に記憶させると共に、記憶させた測定条件に従って測定対象の温度を測定し、かつ測定結果を記録した温度データをデータ保存部や外部装置に保存しておくことで、後に、過去の温度データに基づく過去の測定温度と現在の測定温度とを比較することができるように構成されている。この場合、この種の温度管理装置（測定装置）の利用形態の１つとして、複数の測定対象の温度管理を行う際に、好適な温度管理が可能な測定処理を実行し得る測定条件を各測定対象毎にそれぞれ設定しておき、測定処理の開始に先立って測定対象に対応する測定条件を設定記憶部から読み出して測定処理を実行させるといった利用形態が存在する。
【０００７】
しかしながら、従来の温度管理装置では、上記のような利用形態での測定処理に際して、複数の測定条件のなかから所望の測定条件（測定対象に対応して設定した測定条件）を選択する操作が煩雑となっているという現状があり、この種の装置の操作に不慣れな利用者にとっては、測定対象に対応する測定条件を正しく選択するのが困難となっている。また、仮に、測定対象の数が少数で、設定記憶部に記憶させておく測定条件の種類が少数であったとしても、例えば、片手に荷物を持っているときや、温度測定に際して梯子に登る必要があるときなどには、温度管理装置を片手で操作して所望の測定条件を選択する操作自体が困難となる。このように、従来の温度管理装置には、測定処理に先立って測定対象に対応する測定条件を選択する操作が非常に煩雑となっているという課題が存在する。
【０００８】
また、従来の温度管理装置では、現在の測定温度と、過去の測定温度とを比較する際に、所望の温度データを外部装置から取得する必要がある。この場合、１台の温度管理装置によって複数の測定対象の温度を管理する際には、各測定対象についての複数の温度データが外部装置に記憶された状態となる。したがって、この種の装置の操作に不慣れな利用者にとっては、外部装置からの温度データの取得に際して、各測定対象についての複数の温度データのなから現在の温度と比較すべき測定対象の温度データを選択するのが困難となっている。また、上記の測定条件の選択時と同様にして、仮に、測定対象の数が少数であったとしても、温度管理装置を片手で操作しなくてはならないときなどには、所望の温度データを選択する操作自体が困難となる。このように、従来の温度管理装置には、温度の比較に際して測定対象に対応する温度データを選択する操作が非常に煩雑となっているという課題が存在する。
【０００９】
本発明は、かかる課題に鑑みてなされたものであり、測定対象に対応する測定条件データを確実かつ容易に取得して所望の測定条件に従って測定処理を実行させ得る測定装置、および測定対象に対応する測定結果条件データを確実かつ容易に取得して所望の測定結果を表示させ得る測定装置を提供することを主目的とする。
【課題を解決するための手段】
【００１０】
上記目的を達成すべく請求項１記載の測定装置は、測定対象の測定条件が記録された測定条件データを取得して当該測定条件データの当該測定条件に従って前記測定対象の物理量を測定する測定処理と、前記測定対象の物理量を測定した測定結果が記録された測定結果データを取得して当該測定結果データに基づく当該測定結果を表示させる測定結果表示処理とを実行する処理部を備えた測定装置であって、前記処理部は、前記測定処理に先立ち、前記測定対象を特定可能な測定対象特定データを取得して当該測定対象特定データに基づいて前記測定対象を特定する測定対象特定処理を実行し、かつ前記測定処理において、前記測定対象特定処理によって特定した前記測定対象の前記測定条件が記録された前記測定条件データを取得すると共に、前記測定結果表示処理に先立ち、前記測定対象特定処理を実行して前記測定対象を特定し、かつ前記測定結果表示処理において、前記測定対象特定処理によって特定した前記測定対象の前記測定結果が記録された前記測定結果データを取得する。
【００１１】
また、請求項２記載の測定装置は、測定対象の測定条件が記録された測定条件データを取得して当該測定条件データの当該測定条件に従って前記測定対象の物理量を測定する測定処理を実行する処理部を備えた測定装置であって、前記処理部は、前記測定処理に先立ち、前記測定対象を特定可能な測定対象特定データを取得して当該測定対象特定データに基づいて前記測定対象を特定する測定対象特定処理を実行し、かつ前記測定処理において、前記測定対象特定処理によって特定した前記測定対象の前記測定条件が記録された前記測定条件データを取得する。
【００１２】
また、請求項３記載の測定装置は、測定対象の物理量を測定した測定結果が記録された測定結果データを取得して当該測定結果データに基づく当該測定結果を表示させる測定結果表示処理を実行する処理部を備えた測定装置であって、前記処理部は、前記測定結果表示処理に先立ち、前記測定対象を特定可能な測定対象特定データを取得して当該測定対象特定データに基づいて前記測定対象を特定する測定対象特定処理を実行し、かつ前記測定結果表示処理において、前記測定対象特定処理によって特定した前記測定対象の前記測定結果が記録された前記測定結果データを取得する。
【００１３】
さらに、請求項４記載の測定装置は、請求項１または２記載の測定装置において、前記測定条件データを記憶する外部装置と通信可能な通信部を備え、前記処理部は、前記測定処理において、前記通信部を制御して前記測定条件データを前記外部装置から送信させて取得する測定条件データ取得処理を実行する。
【００１４】
さらに、請求項５記載の測定装置は、請求項１または３記載の測定装置において、前記測定結果データを記憶する外部装置と通信可能な通信部を備え、前記処理部は、前記測定結果表示処理において、前記通信部を制御して前記測定結果データを前記外部装置から送信させて取得する測定結果データ取得処理を実行可能に構成されている。
【００１５】
また、請求項６記載の測定装置は、請求項１，２，４記載の測定装置において、前記処理部は、前記測定処理において、前記測定対象特定処理によって特定した前記測定対象の前記測定条件が記録された前記測定条件データが複数存在するときに、当該各測定条件データをリスト表示させると共に、リスト表示させた当該各測定条件データのうちから選択された当該測定条件データを取得する。
【００１６】
また、請求項７記載の測定装置は、請求項１，３，５記載の測定装置において、前記処理部は、前記測定結果表示処理において、前記測定対象特定処理によって特定した前記測定対象の前記測定結果が記録された前記測定結果データが複数存在するときに、当該各測定結果データをリスト表示させると共に、リスト表示させた当該各測定結果データのうちから選択された当該測定結果データを取得する。
【００１７】
さらに、請求項８記載の測定装置は、請求項１から７のいずれかに記載の測定装置において、現在位置を測位して測位データを出力可能な測位部を備え、前記処理部は、前記測定対象特定処理において、前記測位部を制御して現在位置を測位させ、かつ当該測位部から出力された前記測位データと、前記測定対象の位置が当該測定対象に関連付けて記録された第１の関連付けデータとを前記測定対象特定データとして取得すると共に、当該測位データおよび当該第１の関連付けデータに基づき、現在位置に位置している前記測定対象を特定する。
【００１８】
また、請求項９記載の測定装置は、請求項１から８のいずれかに記載の測定装置において、前記測定対象に配設されたＩＣタグから当該測定対象毎に付与された識別符号の識別符号データを読み取り可能なタグリーダーを備え、前記処理部は、前記測定対象特定処理において、前記タグリーダーを制御して前記ＩＣタグから前記識別符号データを読み取らせ、かつ当該タグリーダーによって読み取られた前記識別符号データと、前記測定対象に付与された前記識別符号が当該測定対象に関連付けて記録された第２の関連付けデータとを前記測定対象特定データとして取得すると共に、当該識別符号データおよび当該第２の関連付けデータに基づき、当該識別符号データの前記識別符号が付与されている前記測定対象を特定する。
【００１９】
さらに、請求項１０記載の測定装置は、請求項１から９のいずれかに記載の測定装置において、前記測定対象に配設された識別符号表示を撮像して撮像データを出力可能な撮像部を備え、前記処理部は、前記測定対象特定処理において、前記撮像部から出力される前記撮像データと、前記測定対象に付与された識別符号が当該測定対象に関連付けて記録された第３の関連付けデータとを前記測定対象特定データとして取得すると共に、当該撮像データを画像解析処理して前記識別符号表示によって示されている識別符号を特定し、かつ、特定した当該識別符号および当該第３の関連付けデータに基づき、当該特定した識別符号が付与されている前記測定対象を特定する。
【００２０】
また、請求項１１記載の測定装置は、請求項１から１０のいずれかに記載の測定装置において、前記測定対象を撮像して撮像データを出力可能な撮像部を備え、前記処理部は、前記測定対象特定処理において、前記撮像部から出力される前記撮像データと、前記測定対象の画像が当該測定対象に関連付けて記録された第４の関連付けデータとを前記測定対象特定データとして取得すると共に、当該撮像データおよび当該第４の関連付けデータを対象とする画像マッチング処理を実行し、前記撮像部によって撮像された前記測定対象を特定する。
【００２１】
さらに、請求項１２記載の測定装置は、請求項１から１１のいずれかに記載の測定装置において、前記測定対象の現在位置の風景を撮像して撮像データを出力可能な撮像部を備え、前記処理部は、前記測定対象特定処理において、前記撮像部から出力される前記撮像データと、前記測定対象の周囲の風景の画像が当該測定対象に関連付けて記録された第５の関連付けデータとを前記測定対象特定データとして取得すると共に、当該撮像データおよび当該第５の関連付けデータを対象とする画像マッチング処理を実行し、前記撮像部による撮像処理位置に位置している前記測定対象を特定する。
【発明の効果】
【００２２】
請求項１，２記載の測定装置によれば、処理部が、測定処理に先立ち、測定対象を特定可能な測定対象特定データを取得して測定対象を特定する測定対象特定処理を実行し、かつ測定処理において、測定対象特定処理によって特定した測定対象の測定条件が記録された測定条件データを取得してその測定条件データの測定条件に従って測定対象の物理量を測定することにより、測定処理に先立って測定対象が自動的に特定されて、特定された測定対象の測定条件が記録された測定条件データが自動的に取得されるため、この種の装置の操作に不慣れな利用者が測定処理を実施する場合や、両手を使用した測定条件データの選択作業が困難な環境下において測定処理を実施する場合であっても、測定条件の設定を誤ることなく、測定対象に応じた測定条件に従って測定処理を確実かつ容易に実行させることができる。
【００２３】
また、請求項１，３記載の測定装置によれば、処理部が、測定結果表示処理に先立ち、測定対象特定処理を実行して測定対象を特定し、かつ測定結果表示処理において、測定対象特定処理によって特定した測定対象の測定結果が記録された測定結果データを取得してその測定結果データに基づく測定結果を表示させることにより、測定結果表示処理に先立って測定対象が自動的に特定されて、特定された測定対象の測定結果が記録された測定結果データが自動的に取得されるため、この種の装置の操作に不慣れな利用者が測定結果表示処理を実施する場合や、両手を使用した測定結果データの選択作業が困難な環境下において測定結果表示処理を実施する場合であっても、所望の測定結果を確実かつ容易に表示させることができる。
【００２４】
さらに、請求項４記載の測定装置によれば、処理部が、測定処理において、通信部を制御して測定条件データを外部装置から送信させて取得する測定条件データ取得処理を実行することにより、特定した測定対象の測定条件データが測定装置の記憶部に記憶されていなくても、外部装置から取得して測定処理を実行することができるため、測定条件データの記憶によって記憶部の貴重な記憶領域が大きく占有される事態を招くことなく、多数の測定条件データを保存しておくことができる。これにより、複数種類の測定対象についてそれぞれ複数回に亘って測定処理を実行する際に、測定条件を手動で設定する頻度を十分に少なくすることができるため、測定処理を一層容易に実行させることができる。
【００２５】
さらに、請求項５記載の測定装置によれば、処理部が、測定結果表示処理において、通信部を制御して測定結果データを外部装置から送信させて取得する測定結果データ取得処理を実行することにより、特定した測定対象の測定結果データが測定装置の記憶部に記憶されていなくても、外部装置から取得して測定結果表示処理を実行することができるため、過去の測定結果データの記憶によって記憶部の貴重な記憶領域が大きく占有される事態を招くことなく、多数の測定結果データを保存しておくことができる。これにより、複数種類の測定対象についてそれぞれ複数回に亘って測定処理を実行する際に、現在の測定結果と比較可能な過去の測定結果が存在しない状態となる可能性を十分に低減することができる。
【００２６】
また、請求項６記載の測定装置によれば、処理部が、測定処理において、測定対象特定処理によって特定した測定対象の測定条件が記録された測定条件データが複数存在するときに、各測定条件データをリスト表示させると共に、リスト表示させた各測定条件データのうちから選択された測定条件データを取得することにより、１つの測定対象について複数の測定条件を設定して測定条件データとして保存しておき、必要に応じて、複数の測定条件データのなかから実行すべき測定処理に応じた測定条件データを選択するだけで、所望の測定条件に従って測定処理を実行させることができる。
【００２７】
また、請求項７記載の測定装置によれば、処理部が、測定結果表示処理において、測定対象特定処理によって特定した測定対象の測定結果が記録された測定結果データが複数存在するときに、各測定結果データをリスト表示させると共に、リスト表示させた各測定結果データのうちから選択された測定結果データを取得することにより、１つの測定対象について複数の測定結果データを保存しておき、直前の測定処理において生成された測定結果データだけでなく、必要に応じて、複数の測定結果データのなかから現在の測定結果と比較すべき測定結果の測定結果データを任意に選択するだけで、所望の測定結果を表示させて現在の測定結果と比較することができる。
【００２８】
さらに、請求項８記載の測定装置によれば、処理部が、測定対象特定処理において、測位部を制御して現在位置を測位させ、かつ測位部から出力された測位データと、測定対象の位置が測定対象に関連付けて記録された第１の関連付けデータとを測定対象特定データとして取得すると共に、測位データおよび第１の関連付けデータに基づき、現在位置に位置している測定対象を特定することにより、測定対象の位置、すなわち、測定処理の実行位置において現在位置を測位するだけで、その測定対象を特定可能な測定対象特定データ（第１の関連付けデータ）」を生成することができるため、測位用の各種信号を受信可能な位置に測定対象が存在する場合には、測定対象特定データとしての第１の関連付けデータを容易に生成することができる。
【００２９】
また、請求項９記載の測定装置によれば、処理部が、測定対象特定処理において、タグリーダーを制御してＩＣタグから識別符号データを読み取らせ、かつタグリーダーによって読み取られた識別符号データと、測定対象に付与された識別符号が測定対象に関連付けて記録された第２の関連付けデータとを測定対象特定データとして取得すると共に、識別符号データおよび第２の関連付けデータに基づき、識別符号データの識別符号が付与されている測定対象を特定することにより、測位用の各種信号を受信不能な位置に測定対象が存在する可能性があるときや、測定対象が移動体であるとき（測定処理の都度、測定対象の位置が相違する可能性があるとき）であっても、ＩＣタグから識別符号データを読み出して識別符号を特定することで、その測定対象を正確かつ容易に特定することができる。
【００３０】
さらに、請求項１０記載の測定装置によれば、処理部が、測定対象特定処理において、撮像部から出力される撮像データと、測定対象に付与された識別符号が測定対象に関連付けて記録された第３の関連付けデータとを測定対象特定データとして取得すると共に、撮像データを画像解析処理して識別符号表示によって示されている識別符号を特定し、かつ、特定した識別符号および第３の関連付けデータに基づき、特定した識別符号が付与されている測定対象を特定することにより、測位用の各種信号を受信不能な位置に測定対象が存在する可能性があるときや、測定対象が移動体であるとき（測定処理の都度、測定対象の位置が相違する可能性があるとき）であっても、撮像部によって識別符号表示を撮像して撮像データを画像解析処理することで識別符号を特定することにより、その測定対象を正確かつ容易に特定することができる。
【００３１】
また、請求項１１記載の測定装置によれば、処理部が、測定対象特定処理において、撮像部から出力される撮像データと、測定対象の画像が測定対象に関連付けて記録された第４の関連付けデータとを測定対象特定データとして取得すると共に、撮像データおよび第４の関連付けデータを対象とする画像マッチング処理を実行し、撮像部によって撮像された測定対象を特定することにより、測位用の各種信号を受信不能な位置に測定対象が存在する可能性があるときや、ＩＣタグおよび識別符号表示などを測定対象に配設するのが困難なときであっても、撮像部によって測定対象を撮像して撮像データと第４の関連付けデータとに基づく画像マッチング処理を実行することで、撮像した測定対象を正確かつ容易に特定することができる。
【００３２】
さらに、請求項１２記載の測定装置によれば、処理部が、測定対象特定処理において、撮像部から出力される撮像データと、測定対象の周囲の風景の画像が測定対象に関連付けて記録された第５の関連付けデータとを測定対象特定データとして取得すると共に、撮像データおよび第５の関連付けデータを対象とする画像マッチング処理を実行し、撮像部による撮像処理位置に位置している測定対象を特定することにより、測位用の各種信号を受信不能な位置に測定対象が存在する可能性があるときや、ＩＣタグおよび識別符号表示などを測定対象に配設するのが困難なときであっても、撮像部によって測定対象の周囲の風景を撮像して撮像データと第５の関連付けデータとに基づく画像マッチング処理を実行することで、撮像した風景に位置している測定対象を正確かつ容易に特定することができる。
【図面の簡単な説明】
【００３３】
【図１】測定システム１００（測定装置１）の構成を示す構成図である。
【発明を実施するための形態】
【００３４】
以下、本発明に係る測定装置の実施の形態について、添付図面を参照して説明する。
【００３５】
図１に示す測定システム１００は、測定装置１、データサーバ２、および「測定対象」に配設されるＩＣタグＴｇやバーコードラベルＬｂなどを備え、複数の「測定対象」についての各種の「物理量」を順次測定することができるように構成されている。なお、ＩＣタグＴｇやバーコードラベルＬｂについては、測定対象に配設されている既存のＩＣタグや既存のバーコードラベル（測定システム１００とは無関係に測定対象に配設されているＩＣタグやバーコードラベル）を利用することもできる。
【００３６】
この場合、以下の説明においては、上記の「測定対象」および「物理量」に関し、一例として、屋外の位置Ａに設置された空調機Ａの消費電力値の測定処理（「空調機Ａ」を「測定対象」とし、かつ「物理量」として「電力値」を測定する例）、屋外の位置Ｂに設置された空調機Ｂの消費電力値の測定処理（「空調機Ｂ」を「測定対象」とし、かつ「物理量」として「電力値」を測定する例）、居室Ａの室温の測定処理（「居室Ａの空気」を「測定対象」とし、かつ「物理量」として「温度」を測定する例）、居室Ｂの室温の測定処理（「居室Ｂの空気」を「測定対象」とし、かつ「物理量」として「温度」を測定する例）、人物Ａの体温の測定処理（「人物Ａ」を「測定対象」とし、かつ「物理量」として「温度」を測定する例）、および車両Ａの排気管（排気触媒）の温度の測定処理（「車両Ａの排気管」を「測定対象」とし、かつ「物理量」として「温度」を測定する例）などを行うものとする。なお、上記例示における「測定対象（「空調機Ａ」、「空調機Ｂ」、「居室Ａの空気」、「居室Ｂの空気」および「人物Ａ」）」や、「測定対象の位置（「位置Ａ」、「位置Ｂ」、「居室Ａ」、「居室Ｂ」および「車両Ａの排気管」）」については、いずれもその図示を省略する。
【００３７】
一方、測定装置１は、「測定装置」の一例であって、測定部１１、測位部１２、ＩＣタグリーダー１３、カメラ１４、通信部１５、操作部１６、表示部１７、処理部１８および記憶部１９を備えている。測定部１１は、測定ユニット１１ａ，１１ｂと、これらを装着可能な測定ユニット装着部１１ｃとを備えて構成されている。この場合、本例の測定装置１（測定システム１００）では、各種の物理量（電流値、電圧値、抵抗値、電力値および位相などの電気的パラメータや、温度、湿度、輝度（光度）、照度、雨量および流量等の各種パラメータ）を測定可能な各種の測定ユニットが用意されており、利用者が任意の測定ユニットを選択して測定ユニット装着部１１ｃに装着することで所望の物理量を測定することができるように構成されている。なお、本例では、一例として、電力値を測定して測定結果データＤ１ａ（「測定結果データ」の一例）を出力する測定ユニット１１ａ（電力測定ユニット）と、温度を測定して測定結果データＤ１ｂ（「測定結果データ」の他の一例）を出力する測定ユニット１１ｂ（温度測定ユニット）とが測定ユニット装着部１１ｃに装着されているものとする。
【００３８】
測位部１２は、処理部１８の制御に従い、ＧＰＳ衛星３，３・・から送信されているＧＰＳ信号Ｓｇを受信すると共に、受信したＧＰＳ信号Ｓｇに基づいて測定装置１の現在位置を測位して測位データＤ２を生成し、生成した測位データＤ２を処理部１８に出力する「測位処理」を実行する。なお、ＧＰＳ信号Ｓｇに基づく現在位置の測位の具体的な手順については公知のため、詳細な説明を省略する。ＩＣタグリーダー１３は、「タグリーダー」に相当し、一例として、ＮＦＣタグリーダーで構成されている。このＩＣタグリーダー１３は、処理部１８の制御に従い、測定対象に配設されたＩＣタグＴｇ（ＮＦＣタグ）に記憶されている識別符号データＤ３を読み出して処理部１８に出力する。この場合、識別符号データＤ３は、各測定対象毎に個別的に付与された識別符号（一例として、英数字で構成された管理番号）を記録したデータで構成されている。また、識別符号データＤ３が記録されたＩＣタグＴｇは、その識別符号データＤ３に記録されている識別符号が付与された測定対象に配設されている。
【００３９】
カメラ１４は、「撮像部」の一例であって、測定対象に貼付されたバーコードラベルＬｂ、測定対象そのもの、および測定対象の現在位置の風景（測定対象の周囲の風景）などを撮像して撮像データＤ４（「測定条件データ」の一例）を生成し、生成した撮像データＤ４を処理部１８に出力する。この場合、バーコードラベルＬｂは、「識別符号表示」の一例であって、各測定対象毎に個別的に付与された識別符号（一例として、英数字で構成された管理番号）を表す模様（バーコード）が印刷されたラベルで構成されると共に、付与された識別符号の測定対象に貼付されている。
【００４０】
通信部１５は、一例として、通信ネットワークＮに接続可能に構成されると共に、処理部１８の制御に従い、通信ネットワークＮを介してデータサーバ２（「外部装置」の一例）に接続して、測定条件データＤ０、測定結果データＤ１ａ，Ｄ１ｂ、測定対象位置特定用データＤａ、識別符号特定用データＤｂおよび測定対象特定用画像データＤｃなどの各種データを送受信する。なお、通信ネットワークＮに測定装置１（通信部１５）を直接的に接続する構成を例に挙げて説明するが、このような構成に代えて（または、このような構成に加えて）、測定装置１に「無線ＬＡＮ」や「ブルートゥース」等の「近距離無線通信部」を配設して、この「近距離無線通信部」と、携帯電話やスマートフォン等の「通信端末」とを相互に接続した状態において、「通信端末」を介して通信ネットワークＮに測定装置１を接続させる構成を採用することもできる。
【００４１】
この場合、上記の測定条件データＤ０は、「測定条件データ」の一例であって、この測定条件データＤ０には、測定対象の測定条件（一例として、測定対象毎に予め設定された測定条件）が記録されている。この測定条件データＤ０は、一例として、操作部１６の操作による設定作業や外部装置（パーソナルコンピュータ等）において生成される。また、上記の測定対象位置特定用データＤａは、「第１の関連付けデータ」の一例であって、この測定対象位置特定用データＤａには、測定対象の位置がその測定対象に関連付けて記録されている。さらに、上記の識別符号特定用データＤｂは、「第２の関連付けデータ」および「第３の関連付けデータ」の一例であって、この識別符号特定用データＤｂには、測定対象に付与された上記の識別符号がその測定対象に関連付けて記録されている。
【００４２】
また、上記の測定対象特定用画像データＤｃは、「第４の関連付けデータ」および「第５の関連付けデータ」の一例であって、この測定対象特定用画像データＤｃには、測定対象の画像（測定対象そのものの像）や、測定対象の周囲の風景の画像（測定対象が存在する場所の風景像）がその測定対象に関連付けて記録されている。この場合、上記の測定対象位置特定用データＤａ、識別符号特定用データＤｂおよび測定対象特定用画像データＤｃは、測定装置１を使用した測定処理の実行に先立って、想定される測定対象を特定可能に予め生成しておくこともできるが、一例として、所定の測定対象についての初めての測定処理時に、その測定対象を特定するための「測定対象特定データ」として生成することで、測定処理や測定結果表示処理とは無関係に「測定対象特定データ」の生成だけを目的とする煩雑な作業を不要とすることができる。
【００４３】
なお、上記の各データＤａ〜Ｄｃの生成方法については、後に詳細に説明するが、これらのデータＤａ〜Ｄｃについては、別個独立したデータファイルとして生成することもできるし、データＤａ〜Ｄｃのうちの任意の２つ、またはすべてを１つのデータファイルとしてまとめて生成することもできる。また、各データＤａ〜Ｄｃのうちのいずれか、またはすべてを、前述した測定条件データＤ０と合わせて１つのデータファイルとすることもできる。さらに、上記のデータＤａ〜Ｄｃのデータファイル、測定条件データＤ０のデータファイル、およびデータＤａ〜Ｄｃと測定条件データＤ０とをまとめたデータファイルのいずれかのデータファイルに前述した測定結果データＤ１ａ，Ｄ１ｂを加えて１つのデータファイルとすることもできる。
【００４４】
操作部１６は、測定装置１による測定条件を設定するための操作スイッチや、表示部１７の前面側に設けられたタッチパネルを備え、スイッチ操作やタッチ操作に応じた操作信号を処理部１８に出力する。なお、タッチパネルに代えて、（または、タッチパネルに加えて）カーソル移動キーやマウス等の各種ポインティングデバイスを備えて操作部１６を構成することもできる。表示部１７は、一例として液晶表示パネルを備え、処理部１８の制御に従い、測定条件設定画面や測定結果表示画面などの各種表示画面（図示せず）を表示する。
【００４５】
処理部１８は、「処理部」の一例であって、測定装置１を総括的に制御する。具体的には、処理部１８は、測定処理に先立ち、後述するように、測定対象を特定可能な各種の「測定対象特定データ（測位データＤ２、識別符号データＤ３および撮像データＤ４や、測定対象位置特定用データＤａ、識別符号特定用データＤｂおよび測定対象特定用画像データＤｃ等）」を取得すると共に、取得した「測定対象特定データ」に基づいて測定対象を特定する測定対象特定処理を実行する。なお、測定対象特定処理の具体的な内容については、後に詳細に説明する。また、処理部１８は、測定対象特定処理によって特定した測定対象についての測定処理の測定条件が記録された測定条件データＤ０を取得すると共に、取得した測定条件データＤ０の測定条件に従って測定部１１（測定ユニット１１ａ、または、測定ユニット１１ｂ）を制御して測定対象の物理量を測定させる（測定処理の実行）。
【００４６】
さらに、処理部１８は、測定処理において測定部１１（測定ユニット１１ａ、または、測定ユニット１１ｂ）から出力される測定結果データＤ１ａや測定結果データＤ１ｂ（以下、区別しないときには「測定結果データＤ１」ともいう）を記憶部１９に記憶させると共に、測定結果データＤ１に基づく測定結果を表示部１７に表示させる。また、処理部１８は、上記の測定対象特定処理によって特定した測定対象について過去に実施した測定処理の測定結果データＤ１を記憶部１９から読み出すと共に、読み出した測定結果データＤ１に基づく測定結果を、現在の測定結果と比較可能に表示部１７に表示させる（測定結果表示処理の実行）。
【００４７】
この場合、本例の測定装置１では、測定処理に先立って実行される測定条件の設定作業によって生成された測定条件データＤ０を、通信部１５を介してデータサーバ２に送信してデータサーバ２に記憶させておくことができるように構成されている。また、本例の測定装置１では、測定処理に際して、測定対象特定処理によって特定した測定対象についての測定条件データＤ０が記憶部１９に記憶されていないときに、処理部１８が、通信部１５を制御してデータサーバ２から所望の測定条件データＤ０を送信させて取得することができるように構成されている（「測定条件データ取得処理」の一例）。
【００４８】
さらに、本例の測定装置１では、測定処理に際して記憶部１９に記憶させた測定結果データＤ１を、通信部１５を介してデータサーバ２に送信してデータサーバ２に記憶させておくことができるように構成されている。また、本例の測定装置１では、測定結果表示処理に際して、測定対象特定処理によって特定した測定対象についての過去の測定結果データＤ１が記憶部１９に記憶されていないときに、処理部１８が、通信部１５を制御してデータサーバ２から所望の測定結果データＤ１を送信させて取得することができるように構成されている（「測定結果データ取得処理」の一例）。
【００４９】
記憶部１９は、処理部１８の制御に従い、測定条件データＤ０、測定結果データＤ１ａ，Ｄ１ｂ、測位データＤ２、識別符号データＤ３、撮像データＤ４、測定対象位置特定用データＤａ、識別符号特定用データＤｂおよび測定対象特定用画像データＤｃなどの各種データを記憶する。この場合、記憶部１９としては、内蔵の記憶素子で構成したものだけでなく、各種のリムーバブルメディア（メモリーカード等）を装着可能なメディア装着部（図示せず）を設け、このメディア装着部に装着したリムーバブルメディアを記憶部１９として使用する構成を採用することもできる。
【００５０】
次に、測定システム１００による温度や電圧値の測定方法について、添付図面を参照して説明する。
【００５１】
一例として、屋外の位置Ａに設置された空調機Ａの消費電力値の測定処理を初めて実行する際には、測定装置１の操作部１６を操作することにより、空調機Ａの消費電力値を測定する際の測定条件を設定する。この際に、処理部１８は、設定された測定条件を空調機Ａに関連付けて記録して測定条件データＤ０を生成し、生成した測定条件データＤ０を記憶部１９に記憶させる。なお、この測定条件データＤ０の生成作業については、いずれかの測定対象についての初めての測定処理に先立って測定条件を個別に設定して生成する方法に代えて、各測定対象についての測定処理の実行に先立ち、各測定処理の測定条件を一括して設定して複数の測定条件データＤ０を予め生成しておく方法を採用することもできる。
【００５２】
次いで、この空調機Ａを測定対象とする２回目以降の消費電力値の測定処理に際して測定対象が空調機Ａであると特定するのに使用する「測定対象特定データ」を生成する。この場合、本例では、空調機Ａが屋外の位置Ａに設置されているため、この空調機Ａの設置位置においてＧＰＳ衛星３からのＧＰＳ信号Ｓｇを好適に受信することが可能となっている。したがって、一例として、ＧＰＳ衛星３からのＧＰＳ信号Ｓｇに基づいて測位される空調機Ａの現在位置を空調機Ａに関連付けた測定対象位置特定用データＤａを生成しておくことにより、後に、この現在位置において測定処理を実行しようとしたときに、その現在位置において実行する測定処理の測定対象が空調機Ａであると特定することが可能となる。具体的には、処理部１８は、測位部１２を制御してＧＰＳ衛星３からのＧＰＳ信号Ｓｇに基づいて現在位置を測位させると共に、測位部１２から出力された測位データＤ２の値（測定装置１の現在位置である位置Ａ）を空調機Ａに関連付けて測定対象位置特定用データＤａを生成し、生成した測定対象位置特定用データＤａを記憶部１９に記憶させる。
【００５３】
続いて、測定ユニット１１ａを空調機Ａに接続した状態において、操作部１６の測定開始スイッチを操作する。この際に、処理部１８は、まず、測定対象特定処理を実行する。具体的には、処理部１８は、一例として、まず、測位部１２による測位処理を実行可能であるか否か（測位部１２がＧＰＳ信号Ｓｇを受信可能であるか否か）を判別し、実行可能なときには、測位部１２からの測位データＤ２に基づいて特定される現在位置に関連付けられている測定対象が存在するか否かを判別する処理Ａを実行する。この際に、この処理Ａにおいて現在位置に関連付けられている測定対象が存在すると判別したときには、測定対象の特定が完了したとして、その測定対象に関連付けられている測定条件データＤ０を記憶部１９から読み出す（「測定条件データの取得」の一例）。
【００５４】
また、測位部１２による測位処理が実行不能なとき、または、上記の処理Ａにおいて現在位置に関連付けられている測定対象が存在しないと判別したときに、処理部１８は、ＩＣタグリーダー１３から識別符号データＤ３が出力されたか否かを判別し、出力されたときには、その識別符号データＤ３に記録されている識別符号に関連付けられている測定対象が存在するか否かを判別する処理Ｂを実行する。この際に、この処理Ｂにおいて識別符号に関連付けられている測定対象が存在すると判別したときには、測定対象の特定が完了したとして、その測定対象に関連付けられている測定条件データＤ０を記憶部１９から読み出す（「測定条件データの取得」の他の一例）。
【００５５】
さらに、ＩＣタグリーダー１３から識別符号データＤ３が出力されていないとき、または、上記の処理Ｂにおいて識別符号に関連付けられている測定対象が存在しないと判別したときに、処理部１８は、カメラ１４から撮像データＤ４が出力されたか否かを判別し、出力されたときには、その撮像データＤ４を対象とする画像解析処理を実行して、撮像データＤ４の画像に関連付けられている測定対象が存在するか否かを判別する処理Ｃを実行する。この際に、この処理Ｃにおいて撮像データＤ４の画像に関連付けられている測定対象が存在すると判別したときには、測定対象の特定が完了したとして、その測定対象に関連付けられている測定条件データＤ０を記憶部１９から読み出す（「測定条件データの取得」のさらに他の一例）。
【００５６】
また、カメラ１４から撮像データＤ４が出力されていないとき、または、上記の処理Ｃにおいて撮像データＤ４の画像に関連付けられている測定対象が存在しないと判別したときに、処理部１８は、一例として、「現在位置を測位することができません。ＩＣタグの読み取り、バーコードラベルの読み取り、および測定対象の撮影のいずれかを実施するか、或いは、測定条件を手動で設定して下さい。」とのメッセージを表示部１７に表示させる処理Ｄを実行し、その後に、上記のメッセージを表示部１７に表示させた状態を維持しつつ、処理Ａに戻って現在位置の測位を再び実行させる。
【００５７】
この場合、本例では、屋外の位置Ａに位置しており、測位部１２による現在位置の測定が可能な本例では、処理部１８は、上記の処理Ａを実行する。具体的には、処理部１８は、測位部１２を制御してＧＰＳ衛星３からのＧＰＳ信号Ｓｇに基づいて現在位置を測位させて測位データＤ２を取得すると共に、記憶部１９から測定対象位置特定用データＤａを読み出す。次いで、処理部１８は、取得した測位データＤ２および測定対象位置特定用データＤａに基づき、現在位置に位置している測定対象が空調機Ａであると特定する。なお、上記の処理Ｂや処理Ｃによって測定対象を特定する例については後に説明する。
【００５８】
この場合、本例とは相違するが、例えば、空調機Ａの設置位置（位置Ａ）に空調機Ａ以外の測定対象Ａｘが存在し、その測定対象Ａｘの位置が位置Ａに関連付けられて測定対象位置特定用データＤａに記録されているときに、処理部１８は、一例として、「この場所に関連付けられた測定対象が複数存在します。いずれの測定対象についての測定処理を実行しますか？」とのメッセージと共に、一例として、位置Ａに関連付けられている測定対象の名称を表示部１７に表示させ、利用者に測定対象を選択させる。
【００５９】
また、上記の処理Ａによる測定対象の特定、または、利用者による測定対象の選択によって測定処理を実行すべき測定対象を空調機Ａと特定したときに、処理部１８は、空調機Ａに関連付けられている測定条件データＤ０を記憶部１９から読み出す。この場合、本例とは相違するが、上記の測定対象特定処理によって特定した空調機Ａに関連付けられた測定条件の測定条件データＤ０が複数存在するときに、処理部１８は、「空調機Ａについて設定された測定条件が複数存在します。いずれの測定条件に従って測定処理を行いますか？」とのメッセージと共に、各測定条件データＤ０のファイル名、コメント、および生成年月日を表示部１７にリスト表示させる。また、処理部１８は、利用者によっていずれかの測定条件が選択されたときに、選択された測定条件の測定条件データＤ０を記憶部１９から読み出す。
【００６０】
また、本例とは相違するが、空調機Ａに関連付けられた測定条件データＤ０が記憶部１９に記憶されていないときに、処理部１８は、通信部１５を制御してデータサーバ２に接続させ、空調機Ａに関連付けられた測定条件データＤ０がデータサーバ２に記憶されているときには、その測定条件データＤ０を送信させて取得する。次いで、処理部１８は、記憶部１９から読み出した（または、データサーバ２から取得した）測定条件データＤ０の測定条件に従って測定ユニット１１ａを制御することで電力値を測定させると共に、測定ユニット１１ａから出力される測定結果データＤ１ａを空調機Ａに関連付けて記憶部１９に記憶させる。これにより、空調機Ａを測定対象とする初めての測定処理が完了する。
【００６１】
また、処理部１８は、表示部１７を制御して測定結果データＤ１ａに基づく測定結果（一例として、測定処理時における空調機Ａの消費電力値のうちのピーク値を示す数値）を表示させる。さらに、処理部１８は、上記の測定対象特定処理（この例では、処理Ａ）によって測定対象と特定された空調機Ａに関連付けられている過去の測定結果データＤ１ａが記憶部１９やデータサーバ２に記憶されているか否かを判別する。この際に、空調機Ａについての初めての測定処理を実行している本例では、処理部１８は、空調機Ａに関連付けられた過去の測定結果データＤ１ａが存在しないと判別し、測定ユニット１１ａから出力された測定結果データＤ１ａに基づく測定結果だけを表示させた状態を維持する。
【００６２】
一方、一例として、後述する他の測定対象についての各種測定処理の後に上記の空調機Ａを測定対象とする２回目の測定処理を実行する際には、測定条件の設定作業を実施することなく、直ちに測定処理を開始することができる。具体的には、測定ユニット１１ａが空調機Ａに接続された状態（測定装置１が位置Ａに存在している状態）において操作部１６の測定開始スイッチが操作されたときに、処理部１８は、前述した測定対象特定処理を実行する。この際には、上記した空調機Ａについての初めての測定処理時と同様にして、測定対象特定処理として処理Ａが実行され、現在位置に位置している測定対象が空調機Ａであると特定される。次いで、処理部１８は、特定した空調機Ａに関連付けられている測定条件データＤ０を記憶部１９（またはデータサーバ２）から取得する。
【００６３】
続いて、処理部１８は、取得した測定条件データＤ０の測定条件に従って測定ユニット１１ａを制御することで電力値を測定させる。これにより、測定条件データＤ０を選択する作業を行うことなく、空調機Ａについての２回目の測定処理が実行されて測定結果データＤ１ａが空調機Ａに関連付けられて記憶部１９に記憶される。また、処理部１８は、表示部１７を制御して測定結果データＤ１ａに基づく測定結果（この例では、空調機Ａの消費電力値）を表示させる。さらに、処理部１８は、空調機Ａに関連付けられている過去の測定結果データＤ１ａが記憶部１９やデータサーバ２に記憶されているか否かを判別する。
【００６４】
この際に、空調機Ａについての初めての測定処理を既に完了している本例では、空調機Ａに関連付けられた過去の測定結果データＤ１ａが記憶部１９（またはデータサーバ２）に記憶された状態となっている。したがって、処理部１８は、その測定結果データＤ１ａを記憶部１９（またはデータサーバ２）から取得すると共に、取得した測定結果データＤ１ａに基づく測定結果（この例では、空調機Ａに関する初めての測定処理時に測定された電力値）を、現在の測定結果と並べて表示部１７に表示させる（測定結果表示処理の一例）。この際に、現在の測定結果と過去の測定結果とが規定値を超えて相違しているときには、処理部１８は、一例として現在の測定結果を点滅表示させる（「強調表示」の一例）。これにより、現在の測定結果と比較すべき過去の測定結果が記録されている測定結果データＤ１ａを選択する作業を行うことなく、現在の測定結果および過去の測定結果が表示部１７に表示されるため、測定対象（空調機Ａ）に何らかの異常が生じているか否かを正確かつ容易に判断することが可能となる。
【００６５】
なお、上記の例とは相違するが、例えば、空調機Ａについての３回目以降の測定処理時に測定結果を表示させたときには、空調機Ａについての過去の測定結果が記録された測定結果データＤ１ａが記憶部１９（またはデータサーバ２）に複数記憶された状態となっている（「測定対象特定処理によって特定した測定対象についての測定結果が記録された測定結果データが複数存在するとき」の一例）。したがって、処理部１８は、一例として、「空調機Ａに関する測定結果が複数存在します。いずれの測定結果を表示させますか？」とのメッセージと共に、一例として、空調機Ａに関する過去の測定結果が記録された各測定結果データＤ１ａのファイル名、コメント、および生成年月日を表示部１７にリスト表示させる。また、処理部１８は、利用者によっていずれかの測定結果（測定結果データＤ１ａ）が選択されたときに、選択された測定結果データＤ１ａを記憶部１９（またはデータサーバ２）から取得して、その測定結果データＤ１ａに基づく測定結果を、現在の測定結果と並べて表示部１７に表示させる（測定結果表示処理の他の一例）。
【００６６】
一方、屋外の位置Ｂに設置された空調機Ｂの消費電力値の測定処理を初めて実行する際には、まず、前述した空調機Ａの消費電力値の測定処理を初めて実行するときと同様にして、空調機Ｂの消費電力値を測定する際の測定条件を設定して測定条件データＤ０を生成して記憶部１９に記憶させる。なお、各測定対象の測定条件を設定する作業（測定条件データＤ０の生成、および生成した測定条件データＤ０の記憶部１９への記憶）については、上記の空調機Ａについての初めての測定処理時に実施した設定作業と同様のため、以下、その説明を省略する。
【００６７】
次いで、空調機Ｂを測定対象とする２回目以降の消費電力値の測定処理に際して測定対象が空調機Ｂであると特定するのに使用する「測定対象特定データ」を生成する。この場合、本例では、空調機Ｂが屋外の位置Ｂに設置されているため、前述した空調機Ａと同様にして、この空調機Ｂの設置位置においてＧＰＳ衛星３からのＧＰＳ信号Ｓｇを好適に受信することが可能となっている。したがって、この例では、空調機Ａについての「測定対象特定データ」の生成と同様にして、測位部１２から出力された測位データＤ２の値（測定装置１の現在位置である位置Ｂ）を空調機Ｂに関連付けた測定対象位置特定用データＤａが生成される。
【００６８】
続いて、測定ユニット１１ａを空調機Ｂに接続した状態において、操作部１６の測定開始スイッチを操作する。この際に、処理部１８は、測定対象特定処理として処理Ａを実行し、取得した測位データＤ２および測定対象位置特定用データＤａに基づき、現在位置に位置している測定対象が空調機Ｂであると特定する。次いで、処理部１８は、特定した空調機Ａに関連付けられている測定条件データＤ０を記憶部１９から読み出し、その測定条件データＤ０の測定条件に従って測定ユニット１１ａを制御することで電力値を測定させると共に、測定ユニット１１ａから出力される測定結果データＤ１ａを空調機Ｂに関連付けて記憶部１９に記憶させる。これにより、空調機Ｂを測定対象とする初めての測定処理が完了する。また、処理部１８は、表示部１７を制御して測定結果データＤ１ａに基づく測定結果（この例では、空調機Ｂの消費電力値）を表示させ、空調機Ｂに関連付けられた過去の測定結果データＤ１ａが存在しないと判別して、測定ユニット１１ａから出力された測定結果データＤ１ａに基づく測定結果だけを表示させた状態を維持する。
【００６９】
また、他の測定対象についての各種測定処理の後に上記の空調機Ｂを測定対象とする２回目の測定処理を実行する際には、前述した空調機Ａについての２回目以降の測定処理時と同様にして、測定条件の設定作業を実施することなく、直ちに測定処理が開始される。具体的には、測定ユニット１１ａが空調機Ｂに接続された状態（測定装置１が位置Ｂに存在している状態）において操作部１６の測定開始スイッチが操作されたときに、処理部１８は、測定対象特定処理としての処理Ａを実行する。この際には、現在位置（空調機Ａが設置されている位置Ａとは相違する位置Ｂ）に位置している測定対象が空調機Ｂであると特定される。
【００７０】
次いで、処理部１８は、特定した空調機Ｂに関連付けられている測定条件データＤ０を記憶部１９（またはデータサーバ２）から取得し、その測定条件データＤ０の測定条件に従って測定ユニット１１ａを制御することで電力値を測定させると共に、測定ユニット１１ａから出力される測定結果データＤ１ａを空調機Ｂに関連付けて記憶部１９に記憶させる。これにより、空調機Ｂを測定対象とする２回目の測定処理が完了する。
【００７１】
さらに、処理部１８は、表示部１７を制御して測定結果データＤ１ａに基づく測定結果（一例として、測定処理時における空調機Ｂの消費電力値の変化を表すグラフ）を表示させると共に、空調機Ｂに関連付けられた過去の測定結果データＤ１ａ（この例では、空調機Ｂについての初めての測定処理によって生成した測定結果データＤ１ａ）が存在すると判別し、その測定結果データＤ１ａを記憶部１９（またはデータサーバ２）から取得すると共に、取得した測定結果データＤ１ａに基づく測定結果（この例では、空調機Ｂに関する初めての測定処理時に測定された電力値の変化を示すグラフ）を、現在の測定結果（現在の測定処理時における電力値の変化を示すグラフ）と並べて表示部１７に表示させる（測定結果表示処理の一例）。これにより、現在の測定結果と比較すべき過去の測定結果が記録されている測定結果データＤ１ａを選択する作業を行うことなく、現在の測定結果および過去の測定結果が表示部１７に表示されるため、測定対象（空調機Ｂ）に何らかの異常が生じているか否かを正確かつ容易に判断することが可能となる。
【００７２】
また、居室Ａの室温（温度）の測定処理（居室Ａの空気を測定対象とする測定処理）を初めて実行する際には、測定条件の設定（測定条件データＤ０の生成）を行うと共に、居室Ａの空気（以下、単に「居室Ａ」ともいう）を測定対象とする２回目以降の温度の測定処理に際して測定対象が居室Ａであると特定するのに使用する「測定対象特定データ」を生成する。この場合、本例では、居室Ａが屋内であり、ＧＰＳ衛星３からのＧＰＳ信号Ｓｇを好適に受信するのが困難となることが予測される。
【００７３】
したがって、一例として、居室Ａに付与した識別符号を記録した識別符号データＤ３をＩＣタグＴｇに記憶させると共に、そのＩＣタグＴｇを、例えば居室Ａの入口に設置する作業を予め実施しておく。また、「測定対象特定データ」の生成に際しては、居室Ａに設置されているＩＣタグＴｇにＩＣタグリーダー１３を接近させることで、ＩＣタグリーダー１３によってＩＣタグＴｇから識別符号データＤ３を読み出され、その識別符号データＤ３に記録されている識別符号を居室Ａに関連付けた識別符号特定用データＤｂが生成される。なお、この測定システム１００を利用した測定処理のために専用のＩＣタグＴｇを設置する上記の例に代えて、例えば、何らかの識別符号が記憶されたＩＣタグが居室Ａに設置されているときには、このＩＣタグを利用して、ＩＣタグに記憶されている識別符号を居室Ａに関連付けて識別符号特定用データＤｂを生成することもできる。
【００７４】
次いで、測定ユニット１１ｂに温度センサを接続した状態において、操作部１６の測定開始スイッチを操作する。この際に、処理部１８は、まず、測定対象特定処理を実行する。この際に、処理部１８は、測位部１２による測位処理を実行不能と判別し、ＩＣタグリーダー１３から識別符号データＤ３が出力されたか否かを判別する。この際には、居室Ａに設置したＩＣタグＴｇにＩＣタグリーダー１３を接近させることにより、ＩＣタグリーダー１３から識別符号データＤ３が出力されるため、処理部１８は、前述した処理Ｂを実行し、その識別符号データＤ３に記録されている識別符号に関連付けられている測定対象が居室Ａであると特定する。
【００７５】
次いで、処理部１８は、上記の処理Ｂによって特定した居室Ａに関連付けられている測定条件データＤ０を記憶部１９から読み出す（「測定条件データの取得」の他の一例）。続いて、処理部１８は、記憶部１９から読み出した（または、データサーバ２から取得した）測定条件データＤ０の測定条件に従って測定ユニット１１ｂを制御することで温度（室温）を測定させると共に、測定ユニット１１ｂから出力される測定結果データＤ１ｂを居室Ａに関連付けて記憶部１９に記憶させる。これにより、居室Ａの空気を測定対象とする初めての測定処理が完了する。また、処理部１８は、表示部１７を制御して測定結果データＤ１ｂに基づく測定結果（この例では、居室Ａの室温）を表示させると共に、居室Ａに関連付けられた過去の測定結果データＤ１ｂが存在しないと判別し、測定ユニット１１ｂから出力された測定結果データＤ１ｂに基づく測定結果だけを表示させた状態を維持する。
【００７６】
一方、一例として、他の測定対象についての各種測定処理の後に上記の居室Ａを測定対象とする２回目の測定処理を実行する際には、測定条件の設定作業を実施することなく、直ちに測定処理が開始される。具体的には、測定ユニット１１ｂに温度センサが接続され、かつ測定装置１が居室Ａに存在している状態において操作部１６の測定開始スイッチが操作されたときに、処理部１８は、測定対象特定処理としての処理Ｂを実行する。この際には、居室Ａに設置されているＩＣタグＴｇにＩＣタグリーダー１３を接近させることでＩＣタグリーダー１３から識別符号データＤ３が出力され、その識別符号データＤ３に基づき、読み出された識別符号の測定対象が居室Ａであると特定される。
【００７７】
次いで、処理部１８は、特定した居室Ａに関連付けられている測定条件データＤ０を記憶部１９（またはデータサーバ２）から取得し、その測定条件データＤ０の測定条件に従って測定ユニット１１ｂを制御することで温度（室温）を測定させると共に、測定ユニット１１ｂから出力される測定結果データＤ１ｂを居室Ａに関連付けて記憶部１９に記憶させる。これにより、居室Ａを測定対象とする２回目の測定処理が完了する。
【００７８】
さらに、処理部１８は、表示部１７を制御して測定結果データＤ１ｂに基づく測定結果（この例では、居室Ａの室温）を表示させると共に、居室Ａに関連付けられた過去の測定結果データＤ１ｂ（この例では、居室Ａについての初めての測定処理によって生成した測定結果データＤ１ｂ）が存在すると判別し、その測定結果データＤ１ｂを記憶部１９（またはデータサーバ２）から取得すると共に、取得した測定結果データＤ１ｂに基づく測定結果（この例では、居室Ａに関する初めての測定処理時に測定された室温）を、現在の測定結果と並べて表示部１７に表示させる（測定結果表示処理の一例）。これにより、現在の測定結果と比較すべき過去の測定結果が記録されている測定結果データＤ１ｂを選択する作業を行うことなく、現在の測定結果および過去の測定結果が表示部１７に表示されるため、例えば、測定対象（居室Ａ）の空調設備等に何らかの異常が生じているか否かを正確かつ容易に判断することが可能となる。
【００７９】
また、居室Ｂの室温（温度）の測定処理（居室Ｂの空気を測定対象とする測定処理）を初めて実行する際には、測定条件の設定（測定条件データＤ０の生成）を行うと共に、居室Ｂの空気（以下、単に「居室Ｂ」ともいう）を測定対象とする２回目以降の温度の測定処理に際して測定対象が居室Ｂであると特定するのに使用する「測定対象特定データ」を生成する。この場合、本例では、上記の居室Ａと同様にして、居室Ｂが屋内であり、ＧＰＳ衛星３からのＧＰＳ信号Ｓｇを好適に受信するのが困難となることが予測される。
【００８０】
したがって、一例として、居室Ｂに付与した識別符号を印刷したバーコードラベルＬｂを、例えば居室Ｂの入口に貼付する作業を予め実施しておく。また、「測定対象特定データ」の生成に際しては、居室Ｂに貼付されているバーコードラベルＬｂをカメラ１４によって撮像し、カメラ１４から出力される撮像データＤ４を画像解析処理することによってバーコードラベルＬｂに印刷されている識別符号を特定すると共に、特定した識別符号を居室Ｂに関連付けて識別符号特定用データＤｂを生成する。なお、この測定システム１００を利用した測定処理のために専用のバーコードラベルＬｂを貼付する上記の例に代えて、例えば、何らかの識別符号が印刷されたバーコードラベルが居室Ｂに貼付されているときには、このバーコードラベルを利用して、バーコードラベルに印刷されている識別符号を居室Ｂに関連付けて識別符号特定用データＤｂを生成することもできる。
【００８１】
次いで、測定ユニット１１ｂに温度センサを接続した状態において、操作部１６の測定開始スイッチを操作する。この際に、処理部１８は、まず、測定対象特定処理を実行する。この際に、処理部１８は、測位部１２による測位処理を実行不能と判別し、かつＩＣタグリーダー１３から識別符号データＤ３が出力されていないと判別した後に、カメラ１４か撮像データＤ４が出力されたか否かを判別する。この際には、居室Ｂに貼付したバーコードラベルＬｂをカメラ１４によって撮像することにより、カメラ１４から撮像データＤ４が出力される。したがって、処理部１８は、前述した処理Ｃを実行し、カメラ１４から出力された撮像データＤ４を対象とする画像解析処理を実行して、撮像データＤ４の画像（この例では、バーコードラベルＬｂにバーコード）の識別符号（「識別符号表示によって示されている識別符号」の一例）を特定し、特定した識別符号に関連付けられている測定対象が存在するか否かを判別する。この際には、特定した識別符号に関連付けられている測定対象が居室Ｂであると特定される。
【００８２】
次いで、処理部１８は、上記の処理Ｃによって特定した居室Ｂに関連付けられている測定条件データＤ０を記憶部１９から読み出す（「測定条件データの取得」の他の一例）。続いて、処理部１８は、記憶部１９から読み出した（または、データサーバ２から取得した）測定条件データＤ０の測定条件に従って測定ユニット１１ｂを制御することで温度（室温）を測定させると共に、測定ユニット１１ｂから出力される測定結果データＤ１ｂを居室Ｂに関連付けて記憶部１９に記憶させる。これにより、居室Ｂの空気を測定対象とする初めての測定処理が完了する。また、処理部１８は、表示部１７を制御して測定結果データＤ１ｂに基づく測定結果（この例では、居室Ｂの室温）を表示させると共に、居室Ｂに関連付けられた過去の測定結果データＤ１ｂが存在しないと判別し、測定ユニット１１ｂから出力された測定結果データＤ１ｂに基づく測定結果だけを表示させた状態を維持する。
【００８３】
一方、一例として、他の測定対象についての各種測定処理の後に上記の居室Ｂを測定対象とする２回目の測定処理を実行する際には、測定条件の設定作業を実施することなく、直ちに測定処理が開始される。具体的には、測定ユニット１１ｂに温度センサが接続され、かつ測定装置１が居室Ｂに存在している状態において操作部１６の測定開始スイッチが操作されたときに、処理部１８は、測定対象特定処理としての処理Ｃを実行する。この際には、居室Ｂに貼付されているバーコードラベルＬｂをカメラ１４によって撮像することでカメラ１４から撮像データＤ４が出力され、この撮像データＤ４を対象とする画像解析処理が実行されることでバーコードラベルＬｂの識別符号が特定され、特定された識別符号の測定対象が居室Ｂであると特定される。
【００８４】
次いで、処理部１８は、特定した居室Ｂに関連付けられている測定条件データＤ０を記憶部１９（またはデータサーバ２）から取得し、その測定条件データＤ０の測定条件に従って測定ユニット１１ｂを制御することで温度（室温）を測定させると共に、測定ユニット１１ｂから出力される測定結果データＤ１ｂを居室Ｂに関連付けて記憶部１９に記憶させる。これにより、居室Ｂを測定対象とする２回目の測定処理が完了する。
【００８５】
さらに、処理部１８は、表示部１７を制御して測定結果データＤ１ｂに基づく測定結果（この例では、居室Ｂの室温）を表示させると共に、居室Ｂに関連付けられた過去の測定結果データＤ１ｂ（この例では、居室Ｂについての初めての測定処理によって生成した測定結果データＤ１ｂ）が存在すると判別し、その測定結果データＤ１ｂを記憶部１９（またはデータサーバ２）から取得すると共に、取得した測定結果データＤ１ｂに基づく測定結果（この例では、居室Ｂに関する初めての測定処理時に測定された室温）を、現在の測定結果と並べて表示部１７に表示させる（測定結果表示処理の一例）。これにより、現在の測定結果と比較すべき過去の測定結果が記録されている測定結果データＤ１ｂを選択する作業を行うことなく、現在の測定結果および過去の測定結果が表示部１７に表示されるため、例えば、測定対象（居室Ｂ）の空調設備等に何らかの異常が生じているか否かを正確かつ容易に判断することが可能となる。
【００８６】
また、人物Ａの体温（温度）の測定処理（人物Ａを測定対象とする測定処理）を初めて実行する際には、測定条件の設定（測定条件データＤ０の生成）を行うと共に、人物Ａを測定対象とする２回目以降の温度の測定処理に際して測定対象が人物Ａであると特定するのに使用する「測定対象特定データ」を生成する。この場合、測定対象が人物のときには、測定対象にバーコードラベルＬｂを貼付するのが困難であり、また、ＩＣタグＴｇを常時携帯させるのが困難となることもある。したがって、この例では、一例として、カメラ１４によって人物Ａの顔を撮像し、カメラ１４から出力される撮像データＤ４の画像（この例では、人物Ａの顔の像）を人物Ａに関連付けて「測定対象特定データ」としての測定対象特定用画像データＤｃを生成する。なお、カメラ１４からの撮像データＤ４に基づく測定対象特定用画像データＤｃの生成に代えて、事前に生成された各種画像データに基づいて測定対象特定用画像データＤｃを生成することもできる。
【００８７】
次いで、測定ユニット１１ｂに温度センサを接続し、かつ温度センサを人物Ａに接触させた状態において、操作部１６の測定開始スイッチを操作する。この際に、処理部１８は、まず、測定対象特定処理を実行する。この際に、処理部１８は、測位部１２による測位処理を実行不能と判別し、かつＩＣタグリーダー１３から識別符号データＤ３が出力されていないと判別した後に、カメラ１４か撮像データＤ４が出力されたか否かを判別する。この際には、人物Ａの顔を撮像することにより、カメラ１４から撮像データＤ４が出力される。したがって、処理部１８は、前述した処理Ｃを実行し、カメラ１４から出力された撮像データＤ４を対象とする画像解析処理を実行して、人間の顔が撮像されたと判別し、その顔の像に関連付けられている測定対象が存在するか否かを判別する。この際には、撮像データＤ４と測定対象特定用画像データＤｃとに基づく画像マッチング処理により、撮像データＤ４の像（顔の像）に関連付けられている測定対象が人物Ａであると特定される。
【００８８】
次いで、処理部１８は、上記の処理Ｃによって特定した人物Ａに関連付けられている測定条件データＤ０を記憶部１９から読み出す（「測定条件データの取得」の他の一例）。続いて、処理部１８は、記憶部１９から読み出した（または、データサーバ２から取得した）測定条件データＤ０の測定条件に従って測定ユニット１１ｂを制御することで温度（体温）を測定させると共に、測定ユニット１１ｂから出力される測定結果データＤ１ｂを人物Ａに関連付けて記憶部１９に記憶させる。これにより、人物Ａを測定対象とする初めての測定処理が完了する。また、処理部１８は、表示部１７を制御して測定結果データＤ１ｂに基づく測定結果（この例では、人物Ａの体温）を表示させると共に、人物Ａに関連付けられた過去の測定結果データＤ１ｂが存在しないと判別し、測定ユニット１１ｂから出力された測定結果データＤ１ｂに基づく測定結果だけを表示させた状態を維持する。
【００８９】
一方、一例として、他の測定対象についての各種測定処理の後に上記の人物Ａを測定対象とする２回目の測定処理を実行する際には、測定条件の設定作業を実施することなく、直ちに測定処理が開始される。具体的には、測定ユニット１１ｂに温度センサが接続された状態において操作部１６の測定開始スイッチが操作されたときに、処理部１８は、測定対象特定処理としての処理Ｃを実行する。この際には、人物Ａの顔をカメラ１４によって撮像することでカメラ１４から撮像データＤ４が出力され、この撮像データＤ４を対象とする画像解析処理（撮像データＤ４と測定対象特定用画像データＤｃとに基づく画像マッチング処理）が実行されることで人間の顔が撮像されたと判別され、その顔の像が人物Ａであると特定される。
【００９０】
次いで、処理部１８は、特定した人物Ａに関連付けられている測定条件データＤ０を記憶部１９（またはデータサーバ２）から取得し、その測定条件データＤ０の測定条件に従って測定ユニット１１ｂを制御することで温度（体温）を測定させると共に、測定ユニット１１ｂから出力される測定結果データＤ１ｂを人物Ａに関連付けて記憶部１９に記憶させる。これにより、人物Ａを測定対象とする２回目の測定処理が完了する。
【００９１】
さらに、処理部１８は、表示部１７を制御して測定結果データＤ１ｂに基づく測定結果（この例では、人物Ａの体温）を表示させると共に、人物Ａに関連付けられた過去の測定結果データＤ１ｂ（この例では、人物Ａについての初めての測定処理によって生成した測定結果データＤ１ｂ）が存在すると判別し、その測定結果データＤ１ｂを記憶部１９（またはデータサーバ２）から取得すると共に、取得した測定結果データＤ１ｂに基づく測定結果（この例では、人物Ａに関する初めての測定処理時に測定された体温）を、現在の測定結果と並べて表示部１７に表示させる（測定結果表示処理の一例）。これにより、現在の測定結果と比較すべき過去の測定結果が記録されている測定結果データＤ１ｂを選択する作業を行うことなく、現在の測定結果および過去の測定結果が表示部１７に表示されるため、例えば、測定対象（人物Ａ）の体調が良好であるか否か等を容易に判断することが可能となる。
【００９２】
さらに、車両Ａの排気管の温度の測定処理（車両Ａの排気管を測定対象とする測定処理）を初めて実行する際には、測定条件の設定（測定条件データＤ０の生成）を行うと共に、車両Ａの排気管を測定対象とする２回目以降の温度の測定処理に際して測定対象が車両Ａの排気管であると特定するのに使用する「測定対象特定データ」を生成する。この場合、本例では、車両Ａが移動体であり、現在位置が変化するため、現在位置に関連付けた測定対象の特定が困難となることが予測される。この際に、前述したＩＣタグＴｇを利用した測定対象の特定や、バーコードラベルＬｂを利用した測定対象の特定も可能であるが、この例では、一例として、カメラ１４によって車両Ａ（例えば、車両Ａを正面側から見た全体像：測定対象の周囲の風景の一例）を撮像し、カメラ１４から出力される撮像データＤ４の画像（この例では、車両Ａの画像）を車両Ａの排気管との測定対象に関連付けて「測定対象特定データ」としての測定対象特定用画像データＤｃとして生成する。
【００９３】
次いで、測定ユニット１１ｂに温度センサを接続し、かつ温度センサを車両Ａの排気管に接触させた状態において、操作部１６の測定開始スイッチを操作する。この際に、処理部１８は、まず、測定対象特定処理を実行する。この際に、処理部１８は、測位部１２によって測位された現在位置に関連付けられた測定対象が存在しないと判別し、かつＩＣタグリーダー１３から識別符号データＤ３が出力されていないと判別した後に、カメラ１４か撮像データＤ４が出力されたか否かを判別する。この際には、車両Ａを撮像することにより、カメラ１４から撮像データＤ４が出力される。したがって、処理部１８は、前述した処理Ｃを実行し、カメラ１４から出力された撮像データＤ４を対象とする画像解析処理を実行して、撮像データＤ４の画像（この例では、車両Ａの画像）に関連付けられている測定対象が存在するか否かを判別する。この際には、撮像データＤ４と測定対象特定用画像データＤｃとに基づく画像マッチング処理によって撮像データＤ４の画像に関連付けられている測定対象が車両Ａの排気管であると特定される。
【００９４】
次いで、処理部１８は、上記の処理Ｃによって特定した車両Ａの排気管に関連付けられている測定条件データＤ０を記憶部１９から読み出す（「測定条件データの取得」の他の一例）。続いて、処理部１８は、記憶部１９から読み出した（または、データサーバ２から取得した）測定条件データＤ０の測定条件に従って測定ユニット１１ｂを制御することで温度を測定させると共に、測定ユニット１１ｂから出力される測定結果データＤ１ｂを車両Ａの排気管に関連付けて記憶部１９に記憶させる。これにより、車両Ａの排気管を測定対象とする初めての測定処理が完了する。また、処理部１８は、表示部１７を制御して測定結果データＤ１ｂに基づく測定結果（この例では、車両Ａの排気管の温度）を表示させると共に、車両Ａの排気管に関連付けられた過去の測定結果データＤ１ｂが存在しないと判別し、測定ユニット１１ｂから出力された測定結果データＤ１ｂに基づく測定結果だけを表示させた状態を維持する。
【００９５】
一方、一例として、他の測定対象についての各種測定処理の後に上記の車両Ａの排気管を測定対象とする２回目の測定処理を実行する際には、測定条件の設定作業を実施することなく、直ちに測定処理が開始される。具体的には、測定ユニット１１ｂに温度センサが接続された状態において操作部１６の測定開始スイッチが操作されたときに、処理部１８は、測定対象特定処理としての処理Ｃを実行する。この際には、車両Ａをカメラ１４によって撮像することでカメラ１４から撮像データＤ４が出力され、この撮像データＤ４を対象とする画像解析処理（撮像データＤ４と測定対象特定用画像データＤｃとに基づく画像マッチング処理）が実行されることで、その撮像データＤ４の画像が車両Ａであり、測定対象が車両Ａの排気管であると特定される。
【００９６】
次いで、処理部１８は、特定した車両Ａの排気管との測定対象に関連付けられている測定条件データＤ０を記憶部１９（またはデータサーバ２）から取得し、その測定条件データＤ０の測定条件に従って測定ユニット１１ｂを制御することで温度を測定させると共に、測定ユニット１１ｂから出力される測定結果データＤ１ｂを車両Ａの排気管との測定対象に関連付けて記憶部１９に記憶させる。これにより、車両Ａの排気管を測定対象とする２回目の測定処理が完了する。
【００９７】
さらに、処理部１８は、表示部１７を制御して測定結果データＤ１ｂに基づく測定結果（この例では、車両Ａの排気管の温度）を表示させると共に、車両Ａの排気管に関連付けられた過去の測定結果データＤ１ｂ（この例では、車両Ａの排気管についての初めての測定処理によって生成した測定結果データＤ１ｂ）が存在すると判別し、その測定結果データＤ１ｂを記憶部１９（またはデータサーバ２）から取得すると共に、取得した測定結果データＤ１ｂに基づく測定結果（この例では、車両Ａの排気管に関する初めての測定処理時に測定された温度）を、現在の測定結果と並べて表示部１７に表示させる（測定結果表示処理の一例）。これにより、現在の測定結果と比較すべき過去の測定結果が記録されている測定結果データＤ１ｂを選択する作業を行うことなく、現在の測定結果および過去の測定結果が表示部１７に表示されるため、例えば、測定対象（車両Ａの排気管（排気触媒））が排気を正常に浄化し得る状態であるか否か等を容易に判断することが可能となる。
【００９８】
このように、この測定装置１によれば、処理部１８が、測定処理に先立ち、測定対象を特定可能な「測定対象特定データ」を取得して測定対象を特定する測定対象特定処理を実行し、かつ測定処理において、測定対象特定処理によって特定した測定対象の測定条件が記録された測定条件データＤ０を取得してその測定条件データＤ０の測定条件に従って測定対象の物理量を測定することにより、測定処理に先立って測定対象が自動的に特定されて、特定された測定対象についての測定条件が記録された測定条件データＤ０が自動的に取得されるため、この種の装置の操作に不慣れな利用者が測定処理を実施する場合や、両手を使用した測定条件データＤ０の選択作業が困難な環境下において測定処理を実施する場合であっても、測定条件の設定を誤ることなく、測定対象に応じた測定条件に従って測定処理を確実かつ容易に実行させることができる。
【００９９】
また、この測定装置１によれば、処理部１８が、測定結果表示処理に先立ち、測定対象特定処理を実行して測定対象を特定し、かつ測定結果表示処理において、測定対象特定処理によって特定した測定対象についての測定結果が記録された測定結果データＤ１を取得してその測定結果データＤ１に基づく測定結果を表示させることにより、測定結果表示処理に先立って測定対象が自動的に特定されて、特定された測定対象についての測定結果が記録された測定結果データＤ１が自動的に取得されるため、この種の装置の操作に不慣れな利用者が測定結果表示処理を実施する場合や、両手を使用した測定結果データＤ１の選択作業が困難な環境下において測定結果表示処理を実施する場合であっても、所望の測定結果を確実かつ容易に表示させることができる。
【０１００】
さらに、この測定装置１によれば、処理部１８が、測定処理において、通信部１５を制御して測定条件データＤ０をデータサーバ２から送信させて取得する測定条件データ取得処理を実行することにより、特定した測定対象の測定条件データＤ０が測定装置１の記憶部１９に記憶されていなくても、データサーバ２から取得して測定処理を実行することができるため、測定条件データＤ０の記憶によって記憶部１９の貴重な記憶領域が大きく占有される事態を招くことなく、多数の測定条件データＤ０を保存しておくことができる。これにより、複数種類の測定対象についてそれぞれ複数回に亘って測定処理を実行する際に、測定条件を手動で設定する頻度を十分に少なくすることができるため、測定処理を一層容易に実行させることができる。
【０１０１】
さらに、この測定装置１によれば、処理部１８が、測定結果表示処理において、通信部１５を制御して測定結果データＤ１をデータサーバ２から送信させて取得する測定結果データ取得処理を実行することにより、特定した測定対象の測定結果データＤ１が測定装置１の記憶部１９に記憶されていなくても、データサーバ２から取得して測定結果表示処理を実行することができるため、過去の測定結果データＤ１の記憶によって記憶部１９の貴重な記憶領域が大きく占有される事態を招くことなく、多数の測定結果データＤ１を保存しておくことができる。これにより、複数種類の測定対象についてそれぞれ複数回に亘って測定処理を実行する際に、現在の測定結果と比較可能な過去の測定結果が存在しない状態となる可能性を十分に低減することができる。
【０１０２】
また、この測定装置１によれば、処理部１８が、測定処理において、測定対象特定処理によって特定した測定対象の測定条件が記録された測定条件データＤ０が複数存在するときに、各測定条件データＤ０をリスト表示させると共に、リスト表示させた各測定条件データＤ０のうちから選択された測定条件データＤ０を取得することにより、１つの測定対象について複数の測定条件を設定して測定条件データＤ０として保存しておき、必要に応じて、複数の測定条件データＤ０のなかから実行すべき測定処理に応じた測定条件データＤ０を選択するだけで、所望の測定条件に従って測定処理を実行させることができる。
【０１０３】
また、この測定装置１によれば、処理部１８が、測定結果表示処理において、測定対象特定処理によって特定した測定対象についての測定結果が記録された測定結果データＤ１が複数存在するときに、各測定結果データＤ１をリスト表示させると共に、リスト表示させた各測定結果データＤ１のうちから選択された測定結果データＤ１を取得することにより、１つの測定対象について複数の測定結果データＤ１を保存しておき、直前の測定処理において生成された測定結果データＤ１だけでなく、必要に応じて、複数の測定結果データＤ１のなかから現在の測定結果と比較すべき測定結果の測定結果データＤ１を任意に選択するだけで、所望の測定結果を表示させて現在の測定結果と比較することができる。
【０１０４】
さらに、この測定装置１によれば、処理部１８が、測定対象特定処理において、測位部１２を制御して現在位置を測位させ、かつ測位部１２から出力された測位データＤ２と、測定対象の位置が測定対象に関連付けて記録された測定対象位置特定用データＤａとを「測定対象特定データ」として取得すると共に、測位データＤ２および測定対象位置特定用データＤａに基づき、現在位置に位置している測定対象を特定することにより、測定対象の位置、すなわち、測定処理の実行位置において測位部１２によって現在位置を測位するだけで、その測定対象を特定可能な「測定対象特定データ（測定対象位置特定用データＤａ）」を生成することができるため、ＧＰＳ衛星３からのＧＰＳ信号Ｓｇを受信可能な位置に測定対象が存在する場合には、「測定対象特定データ」としての測定対象位置特定用データＤａを容易に生成することができる。
【０１０５】
また、この測定装置１によれば、処理部１８が、測定対象特定処理において、ＩＣタグリーダー１３を制御してＩＣタグＴｇから識別符号データＤ３を読み取らせ、かつＩＣタグリーダー１３によって読み取られた識別符号データＤ３と、測定対象に付与された識別符号が測定対象に関連付けて記録された識別符号特定用データＤｂとを「測定対象特定データ」として取得すると共に、識別符号データＤ３および識別符号特定用データＤｂに基づき、識別符号データＤ３の識別符号が付与されている測定対象を特定することにより、ＧＰＳ衛星３からのＧＰＳ信号Ｓｇを受信不能な位置に測定対象が存在する可能性があるときや、測定対象が移動体であるとき（測定処理の都度、測定対象の位置が相違する可能性があるとき）であっても、ＩＣタグＴｇから識別符号データＤ３を読み出して識別符号を特定することで、その測定対象を正確かつ容易に特定することができる。
【０１０６】
さらに、この測定装置１によれば、処理部１８が、測定対象特定処理において、カメラ１４から出力される撮像データＤ４と、測定対象に付与された識別符号が測定対象に関連付けて記録された識別符号特定用データＤｂとを「測定対象特定データ」として取得すると共に、撮像データＤ４を「画像解析処理」してバーコードラベルＬｂによって示されている識別符号を特定し、かつ、特定した識別符号と識別符号特定用データＤｂとに基づき、特定した識別符号が付与されている測定対象を特定することにより、ＧＰＳ衛星３からのＧＰＳ信号Ｓｇを受信不能な位置に測定対象が存在する可能性があるときや、測定対象が移動体であるとき（測定処理の都度、測定対象の位置が相違する可能性があるとき）であっても、カメラ１４によってバーコードラベルＬｂを撮像して撮像データＤ４を画像解析処理することで識別符号を特定することにより、その測定対象を正確かつ容易に特定することができる。
【０１０７】
また、この測定装置１によれば、処理部１８が、測定対象特定処理において、カメラ１４から出力される撮像データＤ４と、測定対象の画像が測定対象に関連付けて記録された測定対象特定用画像データＤｃとを「測定対象特定データ」として取得すると共に、撮像データＤ４および測定対象特定用画像データＤｃを対象とする画像マッチング処理を実行し、カメラ１４によって撮像された測定対象を特定することにより、ＧＰＳ衛星３からのＧＰＳ信号Ｓｇを受信不能な位置に測定対象が存在する可能性があるときや、ＩＣタグＴｇおよびバーコードラベルＬｂなどを測定対象に配設するのが困難なときであっても、カメラ１４によって測定対象を撮像して撮像データＤ４と測定対象特定用画像データＤｃとに基づく画像マッチング処理を実行することで、撮像した測定対象を正確かつ容易に特定することができる。
【０１０８】
さらに、この測定装置１によれば、処理部１８が、測定対象特定処理において、カメラ１４から出力される撮像データＤ４と、測定対象の周囲の風景の画像が測定対象に関連付けて記録された測定対象特定用画像データＤｃとを「測定対象特定データ」として取得すると共に、撮像データＤ４および測定対象特定用画像データＤｃを対象とする画像マッチング処理を実行し、カメラ１４による撮像処理位置に位置している測定対象を特定することにより、ＧＰＳ衛星３からのＧＰＳ信号Ｓｇを受信不能な位置に測定対象が存在する可能性があるときや、ＩＣタグＴｇおよびバーコードラベルＬｂなどを測定対象に配設するのが困難なときであっても、カメラ１４によって測定対象の周囲の風景を撮像して撮像データＤ４と測定対象特定用画像データＤｃとに基づく画像マッチング処理を実行することで、撮像した風景に位置している測定対象を正確かつ容易に特定することができる。
【０１０９】
なお、「測定装置」の構成は、上記の測定装置１の構成に限定されない。例えば、表示部１７を一体的に備えた測定装置１を例に挙げて説明したが、外部装置としての表示装置に測定結果等を表示させる構成を採用することもできる。また、「外部装置」としてのデータサーバ２との間で各種データＤ０，Ｄ１ａ，Ｄ１ｂ，Ｄａ〜Ｄｃを送受信可能な構成の測定装置１を例に挙げて説明したが、スタンドアローン型の測定装置（外部装置との送受信を行わない構成）においても、上記の例のように測定対象を特定して測定条件データＤ０や測定結果データＤ１を取得する（記憶部１９から読み出す）ことにより、測定装置１（測定システム１００）と同様の効果を奏することができる。
【０１１０】
さらに、ＧＰＳ衛星３，３・・から送信されたＧＰＳ信号Ｓｇに基づいて現在位置を測位して測位データＤ２を生成する測位部１２を備えた測定装置１を例に挙げて説明したが、「測定装置」の構成はこれに限定されない。具体的には、ＧＰＳ以外の各種衛星測位システム（Ｇａｌｉｌｅｏ、ＧＬＯＮＡＳＳおよびＣｏｍｐａｓｓなど）を単独で使用して現在位置を測位する構成の測位部、各種衛星測位システムを併用して現在位置を測位する構成（例えば、ＧＰＳと準天頂衛星とを併用して測位する構成）の測位部、携帯電話通信網に接続可能な通信部を介して携帯電話基地局から取得した信号に基づいて（携帯基地局測位システムを使用して）現在位置を測位する構成の測位部、および衛星測位システムと携帯基地局測位システムとを併用して現在位置を測位する構成の測位部などの各種の「測位部」を搭載して「測定装置」を構成することができる。
【０１１１】
また、ＩＭＥＳ（Indoor MEssaging System ）等の屋内対応の測位システムを、単独、または他の測位システムと併用して現在位置を測位する構成の「測位部」を採用することもできる。このような構成を採用することにより、衛星や基地局からの信号の受信が困難な環境（屋内や、屋外における建造物の陰等）に測定対象が位置している場合においても、現在位置に基づいてその測定対象を確実に特定することが可能となる。
【０１１２】
また、測定対象特定処理として、測位部１２（測位データＤ２）を利用した測定対象の特定（処理Ａ）、ＩＣタグリーダー１３およびＩＣタグＴｇ（識別符号データＤ３）を利用した測定対象の特定（処理Ｂ）、カメラ１４およびバーコードラベルＬｂ（撮像データＤ４）を利用した測定対象の特定（処理Ｃ）、およびカメラ１４（撮像データＤ４）だけを利用した測定対象の特定（測定対象そのものの像に基づく測定対象の特定や、測定対象の周囲の風景の画像に基づく測定対象の特定：処理Ｃ）のすべてを実行可能な構成の測定装置１を例に挙げて説明したが、これらのうちのいずれか１つ、または、２つ以上４つ以下のいずれかだけを実行可能な構成を採用することもできる。
【０１１３】
さらに、測定対象特定処理によって特定した測定対象に関連付けられた測定条件データＤ０が複数存在するときに、各測定条件データＤ０をリスト表示させて利用者に選択させる構成の測定装置１を例に挙げて説明したが、このような構成に代えて（または、このような構成に加えて）、測定対象特定処理によって特定した測定対象に関連付けられた測定条件データＤ０が複数存在するときに、各測定条件データＤ０のうちの指定した条件（例えば、「任意の時間、または任意の期間に生成された測定条件データＤ０」との条件や、「測定処理の開始時点における環境値（温度、湿度および天候等）に合致する選択条件が指定されている測定条件データＤ０」との条件など）に合致する測定条件データＤ０を記憶部１９やデータサーバ２から取得して測定処理を実行する構成を採用することもできる。
【０１１４】
同様にして、測定対象特定処理によって特定した測定対象に関連付けられた測定結果データＤ１が複数存在するときに、各測定結果データＤ１をリスト表示させて利用者に選択させる構成の測定装置１を例に挙げて説明したが、このような構成に代えて（または、このような構成に加えて）、測定対象特定処理によって特定した測定対象に関連付けられた測定結果データＤ１が複数存在するときに、各測定結果データＤ１のうちの指定した条件（例えば、「任意の時間、または任意の期間に生成された測定結果データＤ１」との条件や、「測定処理の開始時点における環境値（温度、湿度および天候等）と同様の環境下で生成された測定結果データＤ１」との条件など）に合致する測定結果データＤ１を記憶部１９やデータサーバ２から取得して測定結果表示処理を実行する構成を採用することもできる。
【符号の説明】
【０１１５】
１００  測定システム
１  測定装置
２  データサーバ
３  ＧＰＳ衛星
１１  測定部
１１ａ，１１ｂ  測定ユニット
１１ｃ  測定ユニット装着部
１２  測位部
１３  ＩＣタグリーダー
１４  カメラ
１５  通信部
１６  操作部
１７  表示部
１８  処理部
１９  記憶部
Ｄ０  測定条件データ
Ｄ１ａ，Ｄ１ｂ  測定結果データ
Ｄ２  測位データ
Ｄ３  識別符号データ
Ｄ４  撮像データ
Ｄａ  測定対象位置特定用データ
Ｄｂ  識別符号特定用データ
Ｄｃ  測定対象特定用画像データ
Ｌｂ  バーコードラベル
Ｎ  通信ネットワーク
Ｓｇ  ＧＰＳ信号
Ｔｇ  ＩＣタグ
【図１】
2014219744.tif 000003